(57)【要約】【課題】パチンコ機前面の透明窓の近くにＶ入賞口が設けられたパチンコ機において、Ｖ入賞口に遊技球が入賞する様子の視認性の確保と、磁石を用いてＶ入賞口に遊技球を不正に入賞させることの阻止とを両立させることができるパチンコ機を提供すること。【解決手段】透明窓4aのガラス板4a1とステージ16との間で起立姿勢を成して位置しステージ16方向に傾倒可能な傾倒体30と、傾倒体30のステージ16方向への傾倒の限界姿勢を規定するストッパ部21とを備える。起立姿勢を成した傾倒体30はステージ16の前方でＶ入賞口14を上方に向かって開口させる。傾倒の限界姿勢を成した傾倒体30はＶ入賞口14を閉鎖する。傾倒体30の上部にはステージ16方向に上り勾配を成した傾倒操作部31が設けられている。この傾倒操作部31に遊技球Bの重さが作用したとき、この傾倒操作部31はその遊技球Bの重さをステージ16方向の力に変換し、この力を駆動力として傾倒体30が傾倒する。【選択図】図４−２
2010220870.tif 000002
【特許請求の範囲】
【請求項１】
遊技領域内に位置し可動片により開閉される開閉入賞口を有する可動入賞装置と、前記遊技領域の全体が遊技者に見えるよう前記遊技領域の前方に設けられた透明窓とを備え、
前記可動入賞装置内には、前記透明窓の後方に設けられたＶ入賞口と、このＶ入賞口と左右方向に隣接して設けられたハズレ口と、前記開閉入賞口から前記可動入賞装置内に入った遊技球を、前記Ｖ入賞口および前記ハズレ口が位置する前方の領域に導くステージとが設けられ、前記Ｖ入賞口への遊技球の入賞を契機に通常の遊技状態よりも有利な遊技状態を遊技者に提供するパチンコ機において、
前記透明窓と前記ステージとの間で起立姿勢を成して位置し前記ステージ方向に傾倒可能な傾倒体と、前記傾倒体の前記ステージ方向への傾倒の限界姿勢を規定する傾倒規制手段とをさらに備え、前記起立姿勢を成した前記傾倒体が前記ステージの前方で前記Ｖ入賞口を上方に向かって開口させるよう設定され、前記傾倒の限界姿勢を成した前記傾倒体が前記Ｖ入賞口を閉鎖するよう設定され、
前記傾倒体の上部には、前記ステージ方向に上り勾配を成した傾倒操作部が設けられ、前記傾倒操作部に遊技球の重さが作用したときに前記傾倒操作部がその遊技球の重さを前記ステージ方向の力に変換し、この力を駆動力として前記傾倒体を傾倒させるよう設定された
ことを特徴とするパチンコ機。
【請求項２】
請求項１に記載の発明において、
前記起立姿勢を成した前記傾倒体に対して前記駆動力と同方向で前記駆動力よりも小さな力が作用したときに、その小さな力に抗して前記傾倒体の傾倒を阻止する傾倒抑制手段をさらに備えた
ことを特徴とするパチンコ機。
【請求項３】
請求項１または請求項２に記載の発明において、
前記傾倒体が前記起立姿勢から前記ステージ方向に傾倒したことを検知する傾倒検知手段と、
前記傾倒検知手段により前記傾倒体の傾倒が検知されたことを報知する報知手段とをさらに備えた
ことを特徴とするパチンコ機。
【請求項４】
請求項１〜請求項３のいずれか１項に記載の発明において、
前記傾倒体の前記透明窓側の面には、前記ステージ方向に凹んだ凹部から成っていて、前記透明窓との間で遊技球を保持する球保持部が設けられた
ことを特徴とするパチンコ機。
【請求項５】
請求項１〜請求項４のいずれか１項に記載の発明において、
前記傾倒体が前記Ｖ入賞口を閉鎖した状態を保持する閉鎖状態保持手段をさらに備えた
ことを特徴とするパチンコ機。
【発明の詳細な説明】
【技術分野】
【０００１】
本発明は、遊技領域内に位置し可動片により開閉される開閉入賞口を有する可動入賞装置と、遊技領域の全体が遊技者に見えるよう遊技領域の前方に設けられた透明窓とを備え、可動入賞装置内には、透明窓の後方に設けられたＶ入賞口と、このＶ入賞口と左右方向に隣接して設けられたハズレ口と、開閉入賞口から可動入賞装置内に入った遊技球を、Ｖ入賞口およびハズレ口が位置する前方の領域に導くステージとが設けられたパチンコ機に関する。
【背景技術】
【０００２】
この種のパチンコ機は羽根モノといわれている。羽根モノでは、可動入賞装置の開閉入賞口に遊技球が入賞すると、その入賞した遊技球は、可動入賞装置内のステージに移動し、このステージからＶ入賞口かハズレ口に導かれる。遊技球がハズレ口に入れば数個の賞球が発生し、Ｖ入賞口に入賞すればパチンコ機は大当り遊技状態に移行する。大当り遊技状態とは、Ｖ入賞口への遊技球の入賞を契機に通常の遊技状態よりも有利な遊技状態であり、例えば、可動片が所定時間開閉する状態である。この大当り状態では、遊技球が可動入賞装置の開閉入賞口に入りやすくなるので、遊技者は多くの賞球を獲得することが可能になる。
【０００３】
Ｖ入賞口に遊技球が入賞するかどうかは、パチンコ機の遊技において遊技者が最も興味を持つことであるため、Ｖ入賞口はステージの前方の領域で透明窓の近くに設けられていることが多い。
【０００４】
ところで、遊技者の中には磁石を用いて遊技球を誘導しＶ入賞口に入賞させるという不正行為を行う者がいる。例えば、透明窓に近接して設けられたＶ入賞口が単純に上方に向かって開口した形状である場合、その不正行為の手順は、まず、Ｖ入賞口に入賞し得ない遊技球を透明窓越しに磁石に吸着させてＶ入賞口の上方に誘導し、次にその磁石を透明窓から離して遊技球をＶ入賞口に落下させる、というものになる。
【０００５】
その不正行為を防止するための技術が特許文献１に開示されている。その技術は、前面視逆Ｕ字形で前後方向に延びた半管状部材でＶ入賞口を上方から覆うというものである。これにより、遊技球がステージから半管状部材の後端の開口部に入ってＶ入賞口に入賞することは許容されるが、Ｖ入賞口に上方から落下してきた遊技球が入賞することは阻止されることになる。この結果、前述の手順による不正行為はできなくなる。
【先行技術文献】
【特許文献】
【０００６】
【特許文献１】特開２００７−３０７２０７号公報
【発明の概要】
【発明が解決しようとする課題】
【０００７】
特許文献１に開示された技術では、半管状部材の後端に形成された開口部が、実質的にはＶ入賞口である。この実質的なＶ入賞口は、遊技者からは半管状部材自体が視界の障害となって見えにくい。つまり、遊技者にとってＶ入賞口への遊技球の入賞の様子が視認しにくく、Ｖ入賞口に遊技球が入賞するかどうかという遊技者の最も大きな興味を低減させてしまうことが懸念される。
【０００８】
本発明は前述の事情を考慮してなされたものであり、その目的は、パチンコ機前面の透明窓の近くにＶ入賞口が設けられたパチンコ機において、Ｖ入賞口に遊技球が入賞する様子の視認性の確保と、磁石を用いて遊技球をＶ入賞口に不正に入賞させることの阻止とを両立させることができるパチンコ機を提供することにある。
【課題を解決するための手段】
【０００９】
前述の目的を達成するために、本発明は次のように構成されている。
【００１０】
〔１〕  本発明は、遊技領域内に位置し可動片により開閉される開閉入賞口を有する可動入賞装置と、前記遊技領域の全体が遊技者に見えるよう前記遊技領域の前方に設けられた透明窓とを備え、前記可動入賞装置内には、前記透明窓の後方に設けられたＶ入賞口と、このＶ入賞口と左右方向に隣接して設けられたハズレ口と、前記開閉入賞口から前記可動入賞装置内に入った遊技球を、前記Ｖ入賞口および前記ハズレ口が位置する前方の領域に導くステージとが設けられ、前記Ｖ入賞口への遊技球の入賞を契機に通常の遊技状態よりも有利な遊技状態を遊技者に提供するパチンコ機において、前記透明窓と前記ステージとの間で起立姿勢を成して位置し前記ステージ方向に傾倒可能な傾倒体と、前記傾倒体の前記ステージ方向への傾倒の限界姿勢を規定する傾倒規制手段とをさらに備え、前記起立姿勢を成した前記傾倒体が前記ステージの前方で前記Ｖ入賞口を上方に向かって開口させるよう設定され、前記傾倒の限界姿勢を成した前記傾倒体が前記Ｖ入賞口を閉鎖するよう設定され、前記傾倒体の上部には、前記ステージ方向に上り勾配を成した傾倒操作部が設けられ、前記傾倒操作部に遊技球の重さが作用したときに前記傾倒操作部がその遊技球の重さを前記ステージ方向の力に変換し、この力を駆動力として前記傾倒体を傾倒させるよう設定されたことを特徴とする。
【００１１】
この「〔１〕」に記載の本発明において、起立姿勢を成した傾倒体はステージの前方でＶ入賞口を上方に向かって開口させている。これにより、Ｖ入賞口に遊技球が入賞する様子の視認性を確保できる。
【００１２】
また、「〔１〕」に記載の本発明において、磁石を用いた不正行為により遊技球がＶ入賞口の上方から落下した場合、その遊技球はＶ入賞口に入賞することなく傾倒操作部上に落下する。このとき、傾倒操作部は、落下してきた遊技球から受けた下方向の力をステージ方向の力に変換して傾倒体をステージ方向に傾倒させる。そして、傾倒体が傾倒の限界姿勢に達した状態ではＶ入賞口がその傾倒体により閉鎖されて、遊技球をＶ入賞口に入賞させることができなくなる。
【００１３】
これらのことから、「〔１〕」に記載の本発明によれば、パチンコ機前面の透明窓にＶ入賞口の近くに設けられたパチンコ機において、Ｖ入賞口に遊技球が入賞する様子の視認性の確保と、磁石を用いて遊技球をＶ入賞口に不正に入賞させることの阻止とを両立させることができる。
【００１４】
〔２〕  本発明は「〔１〕」に記載の発明において、前記起立姿勢を成した前記傾倒体に対して前記駆動力と同方向で前記駆動力よりも小さな力が作用したときに、その小さな力に抗して前記傾倒体の傾倒を阻止する傾倒抑制手段をさらに備えたことを特徴とする。
【００１５】
この「〔２〕」に記載の本発明によれば、遊技者のパチンコ機への接触などによる衝撃に伴って傾倒体が傾倒するのを抑制することができる。
【００１６】
〔３〕  本発明は「〔１〕」または「〔２〕」に記載の発明において、前記傾倒体が前記起立姿勢から前記ステージ方向に傾倒したことを検知する傾倒検知手段と、前記傾倒検知手段により前記傾倒体の傾倒が検知されたことを報知する報知手段とをさらに備えたことを特徴とする。
【００１７】
この「〔３〕」に記載の本発明においては、傾倒体が倒れたことを迅速に知ることができる。これにより、不正行為を行った者の把握や傾倒体の誤作動への対応を迅速に行うことができる。
【００１８】
〔４〕  本発明は「〔１〕」〜「〔３〕」のいずれか１に記載の発明において、前記傾倒体の前記透明窓側の面には、前記ステージ方向に凹んだ凹部から成っていて、前記透明窓との間で遊技球を保持する球保持部が設けられたことを特徴とする。
【００１９】
この「〔４〕」に記載の本発明において、傾倒体を傾倒させた遊技球は傾倒体と透明窓との間に保持される。これにより、磁石を用いた不正行為の証拠を保存することができる。
【００２０】
〔５〕  本発明は「〔１〕」〜「〔４〕」のいずれか１に記載の発明において、前記傾倒体が前記Ｖ入賞口を閉鎖した状態を保持する閉鎖状態保持手段をさらに備えたことを特徴とする。
【００２１】
この「〔５〕」に記載の本発明においては、傾倒体がＶ入賞口を閉鎖した状態が保持される。これによっても、磁石を用いた不正行為の証拠を保存することができる。
【発明の効果】
【００２２】
本発明によれば、前述のように、パチンコ機前面の透明窓の近くにＶ入賞口が設けられたパチンコ機において、Ｖ入賞口に遊技球が入賞する様子の視認性の確保と、磁石を用いて遊技球をＶ入賞口に不正に入賞させることの阻止とを両立させることができる。
【図面の簡単な説明】
【００２３】
【図１】本発明の第１実施形態に係るパチンコ機を、このパチンコ機の左前斜め上方から見た状態の斜視図である。
【図２】図１に示したパチンコ機のガラス扉を開き、かつガラス扉に対して透明窓を開いた状態の斜視図である。
【図３】図１に示したパチンコ機に備えられた可動入賞装置を簡略化し拡大して示した斜視図である。
【図４−１】図３に示した可動入賞装置内であって第１実施形態の主要部であるＶ入賞口周辺の構造を示す拡大断面図である。
【図４−２】図４−１に示した主要部によって、磁石を用いた不正なＶ入賞口への遊技球の入賞を阻止する様子を示す図である。
【図４−３】図４−１に示した傾倒体の傾倒を抑制する傾倒抑制手段の拡大図である。
【図４−４】図４−１に示した傾倒体に形成された球保持部と透明窓との間に遊技球が保持された状態、および、傾倒体がＶ入賞口を閉鎖した状態を示す図である。
【図５−１】第２実施形態の主要部であるＶ入賞口周辺の構造を示す拡大断面図である。
【図５−２】図５−１に示した主要部によって、磁石を用いた不正なＶ入賞口への遊技球の入賞を阻止する様子を示す図である。
【図５−３】図５−１に示した傾倒体に形成された球保持部と透明窓との間に遊技球が保持された状態、および、傾倒体がＶ入賞口を閉鎖した状態を示す図である。
【発明を実施するための形態】
【００２４】
本発明の第１，第２実施形態について説明する。
【００２５】
［第１実施形態］
第１実施形態について図１〜図３，図４−１〜図４−４を用いて説明する。
【００２６】
図１に示すように、パチンコ機１は、遊技場の島設備に設置される長方形状の機枠２と、機枠２に対し扉状に開閉可能に取り付けられた前面枠３と、前面枠３に対し開閉可能に取り付けられたガラス扉４と、ガラス扉４の下方において前面枠３に扉状に開閉可能に設けられた前面ボード５とを備えている。前面ボード５には、遊技球を収容する受皿６と、遊技球の発射および発射強度を指令する発射ハンドル７が設けられている。
【００２７】
図２に示すように、前面枠３の内側には遊技盤８が嵌め込まれている。ガラス扉４の中央にはその遊技盤８上の遊技領域９全体を透過して見えるよう透明窓４ａが設けられている。この透明窓４ａはこの透明窓４ａの本体である透明なガラス板４ａ１と、このガラス板４ａ１が嵌め込まれた窓枠４ａ２とを有する。窓枠４ａ２の左側縁部はガラス扉４の背面側の左縁部にヒンジ結合していて、これにより透明窓４ａはガラス扉４に対し扉状に開閉可能に取り付けられている。
【００２８】
遊技領域９の略中央には、可動入賞装置１０（センター役物）が設けられている。この可動入賞装置１０は、図３に示すように、可動入賞装置１０の外郭を形成し、前面側が開口して後方向の奥行きを有するケース１１と、このケース１１の左上部および右上部に設けられ、可動片１２Ａ，１２Ｂにより開閉される開閉入賞口１３Ａ，１３Ｂとを有する。ケース１１内の前側の領域には、透明窓４ａのガラス板４ａ１の後方に位置するＶ入賞口１４と、このＶ入賞口１４と左右方向に隣接して設けられたハズレ口１５Ａ，１５Ｂと、開閉入賞口１３Ａまたは１３Ｂからケース１１内に入った遊技球を、Ｖ入賞口１４およびハズレ口１５Ａ，１５Ｂが位置する前方の領域に導くステージ１６とが設けられている。
【００２９】
パチンコ機１は、遊技球Ｂがハズレ口１５Ａまたは１５Ｂに入ると数個の賞球を受皿６に排出するよう設定されている。また、遊技球ＢがＶ入賞口１４に入賞したことを契機に、通常の遊技状態よりも有利な遊技状態、すなわち大当り遊技状態に移行するよう設定されている。この大当り遊技状態では、可動片１２Ａ，１２Ｂが所定時間開閉されて遊技球が開閉入賞口１３Ａ，１３Ｂに入りやすくなり、これによって遊技者は多くの賞球を獲得することが可能になる。
【００３０】
Ｖ入賞口１４は、左右方向において対向して位置する側壁１７Ａ，１７Ｂと、ステージ１６の下面の前端部に垂下して設けられた垂下部１８と、透明窓４ａとステージ１６との間で透明窓４ａのガラス板４ａ１に近接して位置する傾倒体３０（詳細は後述する）とに囲まれて形成され、上方に向かって開口した開口部である。図４−１に示すように、Ｖ入賞口１４に入賞した遊技球Ｂは、Ｖ入賞口１４およびステージ１６の下方に形成された排出通路１９を通じて可動入賞装置１０の外部に排出されるようになっている。
【００３１】
傾倒体３０は、排出通路１９の底部を成している板部２０の前端に設けられ、ガラス板４ａ１に沿った起立姿勢を成している。ステージ１６の上面は、遊技球Ｂが前方に転がりやすいよう前方向において下り勾配の傾斜面を成している。起立姿勢を成した傾倒体３０の上端は、そのステージ１６の傾斜面を前方に延長した仮想した仮想面Ｐ１と、ステージ１６の下面前端から仮想面Ｐ１と平行に前方に延びた仮想面Ｐ２との間に配置されている。起立姿勢を成した傾倒体３０は、遊技球Ｂの入賞に十分な大きさにＶ入賞口１４を開口させている。
【００３２】
図４−２に示すように、傾倒体３０は排出通路１９の板部２０の前端部に回動可能に結合していることにより、ステージ１６方向（後方向）に傾倒可能になっている。排出通路１９の前端部において、傾倒体３０の下部の後方には、上方向に突起したストッパ部２１が設けられている。このストッパ部２１は、傾倒してきた傾倒体３０の下部を受け止めることにより、傾倒体３０のステージ１６方向への傾倒の限界姿勢を規定する傾倒規制手段である。傾倒の限界姿勢を成した傾倒体３０はＶ入賞口１４を閉鎖している。
【００３３】
傾倒体３０は、くの字状に形成されている。これにより、傾倒体３０の起立状態において傾倒体３０の上部はステージ１６方向に上り勾配を成した傾倒操作部３１を成している。この傾倒操作部３１に遊技球の重さが作用したとき、傾倒操作部３１がその遊技球の重さをステージ１６方向の力に変換し、この力を駆動力として傾倒体３０が傾倒するよう設定されている。
【００３４】
図４−３に示すように、傾倒体３０の下端部には、傾倒体３０の回動軸線に直交する方向に突起して凸曲面を成した可動係合部３３が一体に形成されている。板部２０の前端部には、傾倒体３０の下端部に向かって突起して凸曲面を成した固定係合部２２が一体に形成されている。この固定係合部２２は、傾倒体３０が起立姿勢からステージ１６方向に傾倒する際の可動係合部３３の軌道上に位置し、傾倒体３０の起立状態において固定係合部２２が可動係合部３３の移動の障害となることにより、傾倒体３０のステージ１６方向への傾倒を抑制している。この抑制は、可動係合部３３と固定係合部２２とが互いに押し潰される方向に弾性変形し、可動係合部３３が固定係合部２２を乗り越えることによって解除される。この解除に要する力は、前出の傾倒操作部３１が遊技球の重さを変換して傾倒体３０に作用させる力以上に設定されている。つまり、可動係合部３３と固定係合部２２は、前出の傾倒操作部３１が遊技球の重さを変換して傾倒体３０に作用させる駆動力と同方向で、この駆動力よりも小さな力が傾倒体３０に作用したときに、その小さな力に抗して傾倒体３０の傾倒を阻止する傾倒抑制手段を構成している。
【００３５】
可動係合部３３が固定係合部２２を乗り越えた状態では、傾倒体３０にこの傾倒体３０の自重に抗する力を付与すれば、可動係合部３３が固定係合部２２に接触する姿勢まで戻すことができるが、それ以上姿勢を起すことは抑制され、その姿勢で自重に抗する力が付与されなくなれば、傾倒体３０は自重により傾倒の限界姿勢まで倒れる。つまり、可動係合部３３と固定係合部２２は、傾倒体３０がＶ入賞口１４を閉鎖した状態を保持する閉鎖状態保持手段としても機能する。
【００３６】
垂下部１８の背面側には、非磁性金属の近接を検知可能な非接触型の近接センサ４０が設けられている。垂下部１８の下端部には、前後方向に貫通した検知孔４１が形成されている。起立姿勢を成した状態における傾倒体３０の上端には非磁性金属材料であるアルミ製の被検知部４２が設けられている。近接センサ４０は垂下部１８の前方で検知孔４１に近接して位置した被検知部４２を検知するよう設定されている。被検知部４２が検知孔４１に近接して位置するのは、傾倒体３０が傾倒の限界姿勢を成したときである。つまり、近接センサ４０および被検知部４２は、傾倒体３０が起立姿勢からステージ１６方向に傾倒したことを検知する傾倒検知手段を構成している。なお、遊技球は磁性体であるので、Ｖ入賞口１４に入賞した遊技球は近接センサ４０に検知されない。
【００３７】
近接センサ４０により被検知部４２が検知されると、図１に示すパチンコ機１の前面上部に設けられた報知ランプ５０が点灯するようになっている。つまり、報知ランプ５０は、近接センサ４０と被検知部４２とにより傾倒体３０の傾倒が検知されたことを報知する報知手段である。
【００３８】
図４−４に示すように、傾倒体３０の前面には、傾倒体３０が傾倒の限界姿勢を成した状態において、透明窓４ａのガラス板４ａ１との間で遊技球を保持する球保持部３２が設けられている。この球保持部３２は、傾倒操作部３１からガラス板４ａ１方向に延びステージ１６方向に凹んだ凹部から成っている。
【００３９】
このように構成されたパチンコ機１は、磁石を用いてＶ入賞口１４に遊技球を入賞させる不正行為を、次のようにして阻止する。
【００４０】
図４−２に示すように、傾倒体３０の上方において磁石Ｍをガラス板４ａ１に当接させると、左右方向においてＶ入賞口１４とは異なる位置を転がりＶ入賞口１４に入賞し得ない遊技球Ｂが、透明窓４ａのガラス板４ａ１越しに磁石Ｍに吸着されてＶ入賞口１４の上方に誘導される。その磁石Ｍを透明窓４ａから離すと、遊技球ＢはＶ入賞口１４に落下することなく、傾倒体３０の傾倒操作部３１とガラス板４ａ１との間で、傾倒操作部３１上に落下する。このとき、その遊技球Ｂから傾倒操作部３１には、遊技球Ｂの重さよりも大きな下方向の力が作用する。この下方向の力を傾倒操作部３１はステージ１６方向の力に変換し、傾倒体３０はそのステージ１６方向の力を駆動力として、可動係合部３３と固定係合部２２による抑制力に抗しステージ１６方向に傾倒動作する。そして、可動係合部３３が固定係合部２２を乗り越えた後、傾倒体３０はストッパ部２１に当接して傾倒の限界姿勢を成し、Ｖ入賞口１４は傾倒体３０により閉鎖された状態になる。これにより、遊技球をＶ入賞口１４に入賞させることができなくなる。
【００４１】
傾倒体３０が傾倒の限界姿勢を成したとき、被検知部４２が垂下部１８の前方で検知孔４１に近接する。その被検知部４２を近接センサ４０が検知し、これを契機に報知ランプ５０が点灯する。
【００４２】
傾倒体３０を傾倒させた遊技球Ｂは、傾倒操作部３１から球保持部３２に移動し、この球保持部３２に嵌る。そして、球保持部３２に嵌った状態で傾倒体３０とガラス板４ａ１との間に保持される。
【００４３】
なお、傾倒した状態の傾倒体３０は、手で摘み可動係合部３３と固定係合部２２とによる抑制力に抗してガラス板４ａ１方向に回動させることにより、起立姿勢に戻すことができる。
【００４４】
第１実施形態によれば次の効果を得られる。
【００４５】
第１実施形態において、起立姿勢を成した傾倒体３０はステージ１６の前方でＶ入賞口１４を上方に向かって開口させているので、Ｖ入賞口１４に遊技球Ｂが入賞する様子の視認性を確保できる。また、磁石を用いて不正に誘導された遊技球を利用して傾倒体３０を操作することによりＶ入賞口１４を閉鎖し、これによって遊技球ＢをＶ入賞口１４に入賞させることができなくする。これらのことから、第１実施形態によれば、パチンコ機前面の透明窓の近くにＶ入賞口が設けられたパチンコ機１において、Ｖ入賞口に遊技球が入賞する様子の視認性の確保と、磁石を用いて遊技球をＶ入賞口に不正に入賞させることの阻止とを両立させることができる。
【００４６】
第１実施形態において、起立姿勢を成した傾倒体３０のステージ１６方向の傾倒は可動係合部３３と固定係合部２２とによって抑制されているので、遊技者のパチンコ機１への接触などによる衝撃に伴って傾倒体３０が傾倒するのを抑制することができる。
【００４７】
第１実施形態において、傾倒体３０の傾倒を近接センサ４０と被検知部４２とにより検知し、この検知を報知ランプ５０により報知するので、傾倒体３０が倒れたことを迅速に知ることができる。これにより、不正行為を行った者の把握や傾倒体３０の誤作動への対応を迅速に行うことができる。
【００４８】
第１実施形態においては、傾倒体３０を傾倒させた遊技球Ｂは傾倒体３０と透明窓４ａのガラス板４ａ１との間に保持される。これにより、磁石を用いた不正行為の証拠を保存することができる。
【００４９】
第１実施形態においては、傾倒体３０がＶ入賞口１４を閉鎖した状態が保持される。これによっても、磁石を用いた不正行為の証拠を保存することができる。
【００５０】
第１実施形態においては、起立姿勢を成した傾倒体３０の上端は仮想面Ｐ１，Ｐ２間に位置するので、磁石に誘引された遊技球が傾倒体３０の上端に引っ掛かって、Ｖ入賞口１４に入賞してしまうことを防止でき、かつ、Ｖ入賞口１４に入賞するはずの遊技球がＶ入賞口１４を飛び越えて傾倒操作部３１に落下しないようにすることができる。
【００５１】
［第２実施形態］
第２実施形態について、図５−１〜図５−３を用いて説明する。これら図５−１〜図５−３に示したもののうち、図４−１〜図４−４に示したものと同等のものに対しては、図４−１〜図４−４と同じ符号を使用した。
【００５２】
第２実施形態においては、傾倒体３０が起立姿勢からステージ１６方向に傾倒したことを検知する傾倒検知手段が、垂下部６０とリミットスイッチ７０とから構成されている。垂下部６０はステージ１６の下面に前後方向に回動可能に設けられている。さらに、その垂下部６０はトーションスプリング６１により、常時、傾倒体３０の方向に付勢されている。そのトーションスプリング６１により垂下部６０は、傾倒体３０のステージ１６方向への傾倒の軌道上に突出した図５−１に示す初期姿勢に保持されている。
【００５３】
垂下部６０の下部には、傾倒体３０の上端が挿入可能な凹部を形成した係止部６０ａが設けられている。傾倒体３０が傾倒の限界姿勢を成したとき、傾倒体３０の上端部は係止部６０ａに嵌る。この状態は、垂下部６０がトーションスプリング６１から初期姿勢の方向の力を受け、これに伴い傾倒体３０が垂下部６０から起立姿勢の方向の力を受けた状態であるが、垂下部６０と傾倒体３０とが互いにつっかえ合うことにより、傾倒体３０が傾倒の限界姿勢に保持される。つまり、係止部６０ａは、傾倒体３０がＶ入賞口１４を閉鎖した状態を保持する閉鎖状態保持手段として機能する。
【００５４】
リミットスイッチ７０は垂下部６０の後方に設けられている。リミットスイッチ７０は、ステージ１６の下面に固定されたハウジング７１と、このハウジング７１の前面に後方向に弾性変形可能な片持ち梁状の操作部７２と、ハウジング７１から操作部７２の方向に突出して位置し、ハウジング内のスイッチ素子（図示してない）を操作する自己復帰式の押ボタン７３とを有する。このリミットスイッチ７０は、操作部７２がハウジング７１方向に押圧されて撓み、このとき押ボタン７３が操作部７２により押圧操作されてスイッチ素子がオンする。操作部７２が復元すると、押ボタン７３が初期位置に復帰し、スイッチ素子はオフする。リミットスイッチ７０がオンしたことを契機に報知ランプ５０が点灯するようになっている。
【００５５】
また、ステージ１６の前端には、Ｖ入賞口１４に向かって舌状に延びたガイド部８０が設けられている。このガイド部８０は、Ｖ入賞口１４に入賞する遊技球を、初期姿勢の垂下部６０よりも前方に導き、垂下部６０の誤作動を防止するものである。
【００５６】
第２実施形態の動作について、第１実施形態との相違点を中心に説明する。
【００５７】
図５−２に示すように、第２実施形態においても第１実施形態の場合と同様で、磁石を用いた不正行為により遊技球Ｂが傾倒操作部３１上に落下すると、傾倒体３０が限界姿勢まで傾倒してＶ入賞口１４を閉鎖し、これによって、遊技球をＶ入賞口１４に入賞させることができなくなる。
【００５８】
特に第２実施形態においては、傾倒体３０の傾倒動作が垂下部６０を後方向に回動させながら行われる。これに伴い、垂下部６０は操作部７２を後方向に撓ませ、傾倒体３０が傾倒の限界姿勢を成したときにリミットスイッチ７０をオンさせる。このリミットスイッチ７０がオンしたことを契機に報知ランプ５０が点灯する。
【００５９】
また特に第２実施形態においては、傾倒体３０が傾倒の限界姿勢を成したとき、傾倒体３０の上端が係止部６０ａに嵌って、垂下部６０と傾倒体３０とが互いにつっかえ合うようになる。これによって、傾倒体３０が傾倒の限界姿勢に保持され、リミットスイッチ７０のオン状態が保持される。
【００６０】
このように動作することから、第２実施形態によっても第１実施形態と同様の効果が得られる。
【００６１】
なお、第２実施形態において、垂下部６０を傾倒体３０の方向に付勢する手段は、主にトーションスプリング６１であったが、その手段はトーションスプリング６１に限らない。トーションスプリング６１を用いることなく、リミットスイッチ７０の操作部７２の弾性力や押ボタン７３の自己復帰力の設定を大きくしてその手段としてもよい。
【符号の説明】
【００６２】
１  パチンコ機
２  機枠
３  前面枠
４  ガラス扉
４ａ  透明窓
４ａ１  ガラス板
４ａ２  窓枠
５  前面ボード
６  受皿
７  発射ハンドル
８  遊技盤
９  遊技領域
１０  可動入賞装置
１１  ケース
１２Ａ，１２Ｂ  可動片
１３Ａ，１３Ｂ  開閉入賞口
１４  Ｖ入賞口
１５Ａ，１５Ｂ  ハズレ口
１６  ステージ
１７Ａ，１７Ｂ  側壁
１８  垂下部
１９  排出通路
２０  板部
２１  ストッパ部
２２  固定係合部
３０  傾倒体
３１  傾倒操作部
３２  球保持部
３３  可動係合部
４０  近接センサ
４１  検知孔
４２  被検知部
５０  報知ランプ
Ｂ  遊技球
Ｍ  磁石
Ｐ１，Ｐ２  仮想面
６０  垂下部
６０ａ  係止部
６１  トーションスプリング
７０  リミットスイッチ
７１  ハウジング
７２  操作部
７３  押ボタン
８０  ガイド部
【図１】
2010220870.tif 000003
【図２】
2010220870.tif 000004
【図３】
2010220870.tif 000005
【図４−１】
2010220870.tif 000006
【図４−２】
2010220870.tif 000007
【図４−３】
2010220870.tif 000008
【図４−４】
2010220870.tif 000009
【図５−１】
2010220870.tif 000010
【図５−２】
2010220870.tif 000011
【図５−３】
2010220870.tif 000012